(57)【特許請求の範囲】
【請求項１】
冷蔵庫本体（１）の一側の機器室（７）に前後スライド自在なユニットベース（１３）が設けられ、ユニットベース（１３）上に設けた凝縮ユニット（１４）および蒸発ユニット（１５）が、機器室（７）に対して前後に出し入れできる冷蔵庫であって、
蒸発ユニット（１５）は、断熱ケース（３１）と、同ケース（３１）の内部に配置される蒸発器（３２）および循環ファン（３３）とを含み、
冷蔵室（５）と機器室（７）を区画する区画壁（３ａ）には、断熱ケース（３１）の側面に設けた接続部（５５）を係合支持する接続枠（５３）が設けられており、
区画壁（３ａ）に装着した断熱ケース（３１）が、ユニットベース（１３）または凝縮ユニット（１４）に固定した連結金具（２３）と、接続枠（５３）とで支持されており、
機器室（７）に設けた取付枠（６２・６３）と断熱ケース（３１）との間に配置した押付具（６１）で、接続部（５５）と接続枠（５３）との分離が規制されており、
押付具（６１）を断熱ケース（３１）から分離し、断熱ケース（３１）を横移動して接続部（５５）と接続枠（５３）との係合を解除した状態において、凝縮ユニット（１４）および蒸発ユニット（１５）を機器室（７）に対して前後に出し入れできる冷蔵庫。
【請求項２】
取付枠（６２・６３）と対向する断熱ケース（３１）の側面の上下に係止凹部（７２）が形成されており、
前記係止凹部（７２）と取付枠（６２・６３）との間に配置した上下一対の押付具（６１）で、接続部（５５）と接続枠（５３）との分離が規制されており、
押付具（６１）の前部が取付枠（６２）にねじ（７０）で固定され、押付具（６１）の後部が取付枠（６３）に設けた切欠（７１）に前後へ出し入れ可能に係合してある請求項１に記載の冷蔵庫。
【請求項３】
押付具（６１）が、ベース壁（６６）と、ベース壁（６６）の両側に設けられる一対の側壁（６７・６８）とを一体に備えており、
一方の側壁（６７）を取付枠（６２・６３）に密着させ、他方の側壁（６８）を断熱ケース（３１）に密着させることにより、接続部（５５）と接続枠（５３）との分離を規制している請求項１または２に記載の冷蔵庫。
【請求項４】
断熱ケース（３１）が連結金具（２３）で横移動可能に支持されている請求項１から３のいずれかひとつに記載の冷蔵庫。
【請求項５】
係止凹部（７２）の上下幅が、押付具（６１）の側壁（６８）の上下長さより大きく形成されており、
係止凹部（７２）で受け止められた側壁（６８）を、係止凹部（７２）に沿って下方傾動することにより、押付具（６１）を断熱ケース（３１）から分離できる請求項３または４に記載の冷蔵庫。
【発明の詳細な説明】
【技術分野】
【０００１】
本発明は、冷蔵室の一側に凝縮ユニットおよび蒸発ユニットを収容する機器室が設けてある冷蔵庫に関する。
【背景技術】
【０００２】
この種の冷蔵庫は、例えば特許文献１に公知である。そこでは、内部が貯蔵室とされた貯蔵ボックスの一側に機械室を設け、冷却器を収容する冷却ボックスが、機械室の上部を占める状態で貯蔵ボックスと一体に形成してある。冷却ボックスは前面開口と、貯蔵室に連通する連通口とを備えており、この連通口を介して冷却器から貯蔵室へ冷気が送給される。冷却器は、冷却ボックスの前面開口を塞ぐ冷却室蓋の後面に組み付けてある。冷却ボックスの下側には凝縮ユニットが配置してあり、凝縮ユニットと冷却室蓋とは、前後にスライド可能なベース上に搭載してある。ベースを前方へ引き出すと、冷却器および凝縮ユニットを、冷却ボックスあるいは機械室から取り出して、冷却器と凝縮ユニットのメンテナンスを行うことができる。また、冷却ボックスと貯蔵室を連通する連通口に、冷気の吹出口と吸込口を備える仕切板が装着してあり、仕切板の冷却ボックス側に、吹出口を囲むフードが冷却機へ向かって突出してある。冷却器を冷却ボックスに収容すると、冷却器側の風洞部の開口がフードの突出端に正対する。
【０００３】
特許文献２では、圧縮機および凝縮器を第１ベース上に組み付けてユニット化した凝縮ユニットと、蒸発器および循環ファンを第２ベースの一側に組み付けてユニット化した蒸発ユニットとで冷凍機器を構成している。第２ベースが冷蔵室と機器室とを区分しており、凝縮ユニットが機器室に、蒸発ユニットが冷蔵室の機器室側の端部に、それぞれ前後方向へ出し入れ自在に収容してある。第１ベースは連結金具を介して第２ベースに締結固定してあり、凝縮ユニットと蒸発ユニットを同時に出し入れ操作できる。また、連結金具を第２ベースから分離すると、凝縮ユニットのみを単独で出し入れ操作できる。
【先行技術文献】
【特許文献】
【０００４】
【特許文献１】特許第３１４５２２４号公報（段落番号００１５、図６）
【特許文献２】特許第４２３６２６３号公報（段落番号００３４、図６）
【発明の概要】
【発明が解決しようとする課題】
【０００５】
特許文献１の冷蔵庫では、仕切板の冷却ボックス側にフードを突出形成するので、フードの周囲に無駄なスペースが生じ、その分だけ冷却ボックスが大型化する不利がある。また、冷却器を出し入れする必要上、冷却器を冷却ボックス内へ装填した状態において、風洞部とフードの突出端との間に僅かに隙間が生じるのを避けられない。そのため、冷却器から吹き出る冷気の一部が風洞部とフードとの対向隙間から漏れてショートサイクルを生じ、熱交換効率が低下するのを避けられない。また、特許文献２の冷蔵庫では、冷蔵室と機器室とを区分する第２ベースの冷蔵室側に蒸発ユニットを配置するので、冷蔵室の容量が小さくなる不利がある。
【０００６】
本発明の目的は、蒸発器を収容する断熱ケースにおけるスペースの無駄を省くことができ、しかも断熱ケースの内部におけるショートサイクルを一掃して熱交換効率の低下を解消でき、さらに冷蔵室の容量の低下を伴うこともなく小型化できる冷蔵庫を提供することにある。
【課題を解決するための手段】
【０００７】
本発明は、冷蔵庫本体１の一側の機器室７に前後スライド自在なユニットベース１３が設けられ、ユニットベース１３上に設けた凝縮ユニット１４および蒸発ユニット１５が、機器室７に対して前後に出し入れできる冷蔵庫に関する。蒸発ユニット１５は、断熱ケース３１と、同ケース３１の内部に配置される蒸発器３２および循環ファン３３とを含む。冷蔵室５と機器室７を区画する区画壁３ａに、断熱ケース３１の側面に設けた接続部５５を係合支持する接続枠５３を設ける。区画壁３ａに装着した断熱ケース３１を、ユニットベース１３または凝縮ユニット１４に固定した連結金具２３と、接続枠５３とで支持する。機器室７に設けた取付枠６２・６３と断熱ケース３１との間に配置した押付具６１で、接続部５５と接続枠５３との分離を規制する。押付具６１を断熱ケース３１から分離し、断熱ケース３１を横移動して接続部５５と接続枠５３との係合を解除した状態において、凝縮ユニット１４および蒸発ユニット１５を機器室７に対して前後に出し入れできるようにする。
【０００８】
取付枠６２・６３と対向する断熱ケース３１の側面の上下に係止凹部７２を形成する。係止凹部７２と取付枠６２・６３との間に配置した上下一対の押付具６１で、接続部５５と接続枠５３との分離を規制する。押付具６１の前部を取付枠６２にねじ７０で固定し、押付具６１の後部を取付枠６３に設けた切欠７１に前後へ出し入れ可能に係合する。
【０００９】
押付具６１は、ベース壁６６と、ベース壁６６の両側に設けられる一対の側壁６７・６８とを一体に備える。一方の側壁６７を取付枠６２・６３に密着させ、他方の側壁６８を断熱ケース３１に密着させることにより、接続部５５と接続枠５３との分離を規制する。
【００１０】
断熱ケース３１を連結金具２３で横移動可能に支持する。
【００１１】
係止凹部７２の上下幅を、押付具６１の側壁６８の上下長さより大きく形成する。係止凹部７２で受け止められた側壁６８を、係止凹部７２に沿って下方傾動することにより、押付具６１を断熱ケース３１から分離する。
【発明の効果】
【００１２】
本発明では、冷蔵室５と機器室７を区画する区画壁３ａに接続枠５３を設け、断熱ケース３１を横移動してケース側面に設けた接続部５５を接続枠５３に対して係脱できるようにした。また、区画壁３ａに装着した断熱ケース３１を、連結金具２３と接続枠５３とで支持し、取付枠６２・６３と断熱ケース３１との間に配置した押付具６１で、接続部５５と接続枠５３との分離を規制した。このように、断熱ケース３１を区画壁３ａに対して接続部５５と接続枠５３を介して密着する状態で装着すると、蒸発器３２で冷却された冷気の全てを、ショートサイクルを伴うこともなく冷蔵室５へ循環させることができる。また、押付具６１を断熱ケース３１から分離して断熱ケース３１を横移動させることにより、接続部５５を接続枠５３から分離して、凝縮ユニット１４および蒸発ユニット１５を機器室７から抜き出すようにするので、断熱ケース３１の内部に無駄な空間を確保する必要がない。さらに、区画壁３ａの機器室７側の壁面に断熱ケース３１を装着するので、冷蔵室に蒸発ユニットを配置する従来の冷蔵庫とは異なり、冷蔵室５の容量が低下することもない。従って、本発明の冷蔵庫によれば、蒸発器３２を収容する断熱ケース３１におけるスペースの無駄を省くことができ、しかも断熱ケース３１の内部におけるショートサイクルを一掃して熱交換効率の低下を解消でき、さらに冷蔵室５の容量の低下を伴うこともなく小型化できる冷蔵庫を提供できる。
【００１３】
断熱ケース３１の側面の上下に係止凹部７２を形成し、係止凹部７２と取付枠６２・６３との間に上下一対の押付具６１を配置すると、押付具６１のずれ動きを係止凹部７２で規制して、一対の押付具６１で断熱ケース３１を確りと押し付けて、接続部５５と接続枠５３との分離を確実に規制できる。押付具６１の前部を取付枠６２にねじ７０で固定し、押付具６１の後部を取付枠６３に設けた切欠７１に前後へ出し入れ可能に係合すると、押付具６１のずれ動きを規制できる。また、押付具６１を介して断熱ケース３１を取付枠６２・６３で支持できるので、冷蔵庫の運転時における蒸発ユニット１５の揺れ動きをさらに確実に防止して、断熱ケース３１を強固に固定できる。
【００１４】
押付具６１を、ベース壁６６と、ベース壁６６の両側に設けられる一対の側壁６７・６８とを一体に備えるものとし、両側壁６７・６８を取付枠６２・６３と断熱ケース３１とに密着させると、押付具６１が断熱ケース３１を区画壁３ａに押し付ける力を大きくして、接続部５５と接続枠５３との分離を確実に規制できる。
【００１５】
断熱ケース３１を連結金具２３で横移動可能に支持すると、蒸発ユニット１５の区画壁３ａに対する着脱や、機器室７に対する凝縮ユニット１４および蒸発ユニット１５の出し入れを安全に行うことができる。
【００１６】
係止凹部７２で受け止められた側壁６８を、係止凹部７２に沿って下方傾動することにより、押付具６１を断熱ケース３１から分離できるようにすると、押付具６１による断熱ケース３１の移動規制を確実に行いながら、押付具６１の取外し作業を簡便に行うことができる。
【図面の簡単な説明】
【００１７】
【図１】図４におけるＡ−Ａ線断面図である。
【図２】本発明の実施例に係る冷蔵庫の正面図である。
【図３】機器室の内部の側面図である。
【図４】図３におけるＢ−Ｂ線断面図である。
【図５】機器室パネルの縦断側面図である。
【図６】蒸発ユニットを支持する連結金具の縦断側面図である。
【図７】押付具の取付構造を示す横断平面図と押付具の斜視図である。
【図８】図７におけるＣ−Ｃ線断面図である。
【図９】押付具の取り外しの手順を説明する図である。
【図１０】押付具の取り外しの手順を説明する図である。
【図１１】蒸発ユニットを連通口から隔離した状態の正面図である。
【図１２】冷却ユニットを機器室から引き出した状態の側面図である。
【発明を実施するための形態】
【００１８】
（実施例）  図１から図１２は、本発明をコールドテーブル型の冷蔵庫に適用した実施例を示す。なお、本実施例における前後、左右、上下とは、各図に示す交差矢印と、各矢印の近傍に表記した前後、左右、上下の表示に従う。
【００１９】
図２において冷蔵庫は、冷蔵庫本体１と、その上面全体を覆う天板２とを備える。冷蔵庫本体１は、前面開口を除く周囲壁を断熱壁で形成した箱体からなる貯蔵ボックス３と、貯蔵ボックス３の左側（一側）外面に設けられる側部筐体４とで構成される。貯蔵ボックス３の内部は冷蔵室５とされており、冷蔵室５の前面開口は、観音開き構造の左右一対のドア６で開閉される。貯蔵ボックス３の左側外面と側部筐体４とで囲まれる空間が機器室７とされており、その中には冷蔵室５を冷却するための冷却ユニットが収容してある。機器室７の前面には、着脱可能な機器室パネル９が装着してある。天板２は調理用のテーブルとして使用できる。
【００２０】
図１および図３に示すように側部筐体４は、上壁４ａ、下壁４ｂ、左壁４ｃ、および後壁４ｄを有し、前面および右面が開口している。上壁４ａ、下壁４ｂ、および後壁４ｄの右端縁を貯蔵ボックス３の左側外面に固定して、貯蔵ボックス３と側部筐体４とが一体化してある。
【００２１】
図３および図４に示すように冷却ユニットは、水平の台板からなるユニットベース１３と、ユニットベース１３上に搭載した凝縮ユニット１４および蒸発ユニット１５と、両ユニット１４・１５を接続する冷媒配管１６などで構成される。機器室７の下半部に凝縮ユニット１４が配置され、凝縮ユニット１４の上側に蒸発ユニット１５が配置される。ユニットベース１３は、下壁４ｂに沿って前後スライドでき、ユニットベース１３を前後にスライドさせることにより、冷却ユニットの全体を機器室７に対して出し入れできる。
【００２２】
ユニットベース１３の上面には、圧縮機１８、凝縮器１９、および送風ファン２０が組み付けてあり、これらが凝縮ユニット１４を構成する。凝縮器１９に臨む機器室パネル９の下部には、ルーバー２１が形成してある。凝縮器１９の後方に配置した送風ファン２０を回転駆動させると、凝縮器１９から圧縮機１８へ向かう気流が形成され、凝縮器１９を通過した熱交換後の空気は、側部筐体４の後壁４ｄに設けた排風口から機器室７の外へ放出される。符号２２は、凝縮器１９および送風ファン２０の上面および両側面を覆う導風カバーである。導風カバー２２はユニットベース１３の上面に固定してあり、その上面には、蒸発ユニット１５を支持する連結金具２３が固定してある。連結金具２３の詳細については後述する。
【００２３】
図５に示すようにルーバー２１は、複数個のルーバー片２７を上下に並べて構成してあり、各ルーバー片２７には、フィルタ２８を挿入するためのスリット２９が形成してある。下側のルーバー片２７ほど、スリット２９が後側に形成してあり、フィルタ２８は、前方から後方へ下り傾斜する姿勢でルーバー２１に装着される。図３に示すように、装着状態におけるフィルタ２８の上端は、機器室パネル９の上面側に露出しており、フィルタ２８の上端を摘んで上方へ引き出すと、フィルタ２８をルーバー２１から取り外すことができる。本実施例に係るルーバー２１およびフィルタ２８の構成によれば、機器室パネル９を機器室７の前面に装着したままでも、ルーバー２１に対してフィルタ２８を着脱できる。また、フィルタ２８で塵埃をろ過して、凝縮器１９の冷却フィンや、送風ファン２０のファンブレードに塵埃が付着するのを防止して、凝縮器１９の放熱効率が低下するのを防止できる。
【００２４】
図４に示すように蒸発ユニット１５は、右面開口を除く周囲壁を断熱壁で形成した箱体からなる断熱ケース３１の内部に、蒸発器３２、循環ファン３３、およびドレンパン３５などを配置して構成してある。断熱ケース３１の内部は、区画板３６で入口室７５と出口室７６とに区分されており、入口室７５側に蒸発器３２が配置され、出口室７６に臨んで循環ファン３３が配置されている。区画板３６は、蒸発器３２の右側面に接するように配置された遮蔽板７７と、蒸発器３２の上方を覆うように配置された傾斜板７８とを一体に備えており、傾斜板７８に設けた開口に循環ファン３３が装着してある。循環ファン３３で入口室７５に吸入された冷蔵室５の冷気は、蒸発器３２を通過するときに熱交換されて温度が低下したのち、出口室７６の吹出口７９から排出される。
【００２５】
断熱ケース３１は、導風カバー２２の上面に固定した連結金具２３で支持される。図６に示すように連結金具２３は、断熱ケース３１の下面前端を支持する断面コ字状の支持壁３７と、支持壁３７の前側に固定される締結枠３８とを備える。断熱ケース３１の前下のコーナー部を、支持壁３７の上面、および締結枠３８の後面に当接させて、締結枠３８と断熱ケース３１とを左右のビス３９で連結している。図４に示すように、締結枠３８に形成したビス３９用の挿通孔４０は左右横長に形成してある。符号４１は、ビス３９と一体に設けられた軸部であり、挿通孔４０に案内されて左右にスライドできる。以上の構成によれば、ビス３９を緩めなくても、挿通孔４０の形成範囲内で断熱ケース３１を連結金具２３に対して横移動することができる。
【００２６】
ドレンパン３５は、蒸発器３２の下方に配置されて、蒸発器３２の除霜などによって生じた水滴を受け止める。ドレンパン３５のドレン水を庫外へ排水するため、断熱ケース３１の底壁には、図３に示すように接続管４４が下向きに突設してある。接続管４４から流下するドレン水は、排水トラップ４５を介して、側部筐体４の後壁４ｄを貫通する水受体４６へと送出され、さらに水受体４６に接続したドレン管４７で排水溝へ排出される。
【００２７】
断熱ケース３１の前面には、冷却ユニットの制御基板などの電装品を収容する制御箱５０が固定してある。制御箱５０の前面には、冷蔵庫の運転状態を制御する操作パネルや、運転状態を表示する表示パネルが配置してあり、これらパネルを前方へ露出させるための窓部が機器室パネル９に開設してある。
【００２８】
図４に示すように、冷蔵室５と機器室７を区画する貯蔵ボックス３の区画壁３ａには、断熱ケース３１を接続するための接続枠５３が固定してある。接続枠５３は四角枠状に形成してあり、接続枠５３で囲まれる連通口５２を介して、断熱ケース３１の内部と冷蔵室５とが連通している。断熱ケース３１の冷蔵室５側の側面には、接続枠５３の内面にはめ込まれる接続部５５が突設してある。接続部５５を接続枠５３にはめ込んだ状態においては、接続部５５の基端周縁壁が区画壁３ａで受け止められており、接続部５５の突端面と接続枠５３との間がパッキン５６でシールされている。
【００２９】
図４に示すように、冷蔵室５の左側壁には、連通口５２を覆うように、庫内カバー８１が配置されている。庫内カバー８１は、断熱ケース３１の吹出口７９に臨んで設けられる吹出ダクト８２と、庫内カバー８１の下半部を占める吸込ダクト８３と、両ダクト８２・８３を接続するカバー壁８４とを一体に備えるプラスチック成型品からなり、冷蔵室５の左側壁にビスで固定してある。吸込ダクト８３には複数の吸込穴が開口されており、冷蔵室５の冷気は、これら吸込穴を通過したのち入口室７５へ吸い込まれる。
【００３０】
カバー壁８４は、区画板３６の遮蔽板７７と小さな隙間を介して対向し、さらに連通口５２内に入り込む状態で組み付けてある。吹出ダクト８２に生じた結露水は、傾斜板７８上に流下したのち、遮蔽板７７とカバー壁８４との間の隙間に流れ込む。この隙間の下端には、結露水をドレンパン３５へ流下案内するガイド壁が、庫内カバー８１と一体に形成してある。
【００３１】
断熱ケース３１を接続枠５３に的確に接続して、蒸発ユニット１５の取付け強度を増強するために、側部筐体４の左壁４ｃと断熱ケース３１との間に押付具６１を設けている。詳しくは、図１に示すように、側部筐体４の左壁４ｃの内面には、上下に長い前後一対の取付枠６２・６３が設けてあり、これら取付枠６２・６３と断熱ケース３１との間に、押付具６１が取り付けてある。
【００３２】
図７に示すように押付具６１は、前後に長い水平なベース壁６６と、ベース壁６６の左右縁に連続する下向きの側壁６７・６８と、ベース壁６６の前端に設けられる左右横長の締結壁６９などを一体に備えるプレス成形品からなる。左側壁６７を取付枠６２・６３に密着させて、右側壁６８を断熱ケース３１に密着させることにより、断熱ケース３１を区画壁３ａに押し付けて固定することができる。締結壁６９の両側端はベース壁６６よりも側外方へ突出してあり、この突出端が前取付枠６２の前面にねじ７０で締結固定してある。後取付枠６３には、左側壁６７を受け止める切欠７１が形成してある（図８参照）。断熱ケース３１の左側外面には、前後方向の全長にわたる上下一対の係止凹部７２が凹設してある（図３参照）。各押付具６１の右側壁６８は、係止凹部７２の内側に配置されてその内面に圧接する。ベース壁６６には、前後方向の長孔が多数形成してある。
【００３３】
以上の説明から理解できるように、断熱ケース３１は、導風カバー２２の上面に設けた連結金具２３で支持されるほか、貯蔵ボックス３の区画壁３ａに設けた接続枠５３に接続部５５が内嵌することにより、区画壁３ａによって支持される。さらに、上下一対の押付具６１の右側壁６８が断熱ケース３１の係止凹部７２に押し付けられて、ベース壁６６が係止凹部７２の上面を受け止めることにより、断熱ケース３１は押付具６１を介して前後の取付枠６２・６３で支持される。したがって、冷蔵庫の運転時に蒸発ユニット１５が揺れ動くことはない。
【００３４】
凝縮ユニット１４、あるいは蒸発ユニット１５のメンテナンスを行うために冷却ユニットを機器室７から引き出すには、まず機器室パネル９を側部筐体４から取り外し、制御箱５０を断熱ケース３１から取り外した後、押付具６１を前取付枠６２に固定するねじ７０を取り外す。ねじ７０は締結壁６９の前面側からねじ込んであるので、機器室パネル９および制御箱５０を取り外してすぐにねじ７０にアクセスできる。ねじ７０を取り外した後は、図９に示すように押付具６１を前方へ引き出して、後取付枠６３の切欠７１から抜き出し、次いで、図１０の矢印のように押付具６１を回転させて、右側壁６８を係止凹部７２から離脱させる。右側壁６８の下方傾動を容易化するため、係止凹部７２は右側壁６８よりも上下に長く形成してあり、係止凹部７２の下端は右側壁６８よりも下方に位置している。押付具６１を傾動して垂直姿勢にすると、押付具６１を機器室７から前方へ引き出すことができる。
【００３５】
次いで、図１１に示すように、断熱ケース３１を連結金具２３に対して左方へスライド移動させて、接続部５５を接続枠５３から抜き出す。このとき、冷媒配管１６は弾性変形して断熱ケース３１の凝縮ユニット１４に対する相対移動を吸収する。最後に、図１２に示すように、蒸発ユニット１５、凝縮ユニット１４、およびユニットベース１３を含む冷却ユニットの全体を、機器室７から引き出す。メンテナンス等の終了後は、上記とは逆の手順で、冷却ユニットを機器室７に収容する。
【００３６】
上記以外に、押付具６１は、前取付枠６２に締結することに加えて、断熱ケース３１にも締結することができる。押付具６１の構成は上記で示したものに限られず、例えば取付枠６２・６３と断熱ケース３１の一方に連結した揺動アームで押付具６１を構成することができる。押付具６１を取付枠６２・６３と断熱ケース３１の一方に連結すると、押付具６１の着脱の手間を軽減できる。後取付枠６３は後壁４ｄの内面に取り付けることができる。制御箱５０は導風カバー２２やユニットベース１３に取り付けることができる。連結金具２３はユニットベース１３に設けることができる。
【符号の説明】
【００３７】
１  冷蔵庫本体
３ａ  区画壁
５  冷蔵室
７  機器室
１３  ユニットベース
１４  凝縮ユニット
１５  蒸発ユニット
２３  連結金具
３１  断熱ケース
３２  蒸発器
３３  循環ファン
３９  ビス
５２  連通口
５３  接続枠
５５  接続部
６１  押付具
６２  前取付枠
６３  後取付枠
６６  ベース壁
６７  左側壁
６８  右側壁
６９  締結壁
７０  ねじ
７１  切欠
７２  係止凹部
【図１】
0005595331.tif 000002
【図２】
0005595331.tif 000003
【図３】
0005595331.tif 000004
【図４】
0005595331.tif 000005
【図５】
0005595331.tif 000006
【図６】
0005595331.tif 000007
【図７】
0005595331.tif 000008
【図８】
0005595331.tif 000009
【図９】
0005595331.tif 000010
【図１０】
0005595331.tif 000011
【図１１】
0005595331.tif 000012
【図１２】
0005595331.tif 000013